(57)【要約】【課題】円盤状の記録媒体の表面にアナログレコード盤のイメージを印刷する印刷工程の簡素化を図り、生産効率の高い記録媒体に対する印刷方法を提供すること。【解決手段】円盤状の記録媒体Ａの中央部には円形の開口部３を有し、裏側面はデジタル情報記録面を構成し、上記記録媒体Ａの表側面の上記開口部３周囲のレーベル部１の外側全面に同心円状に広がるアナログレコード盤の針溝を模した凹凸面２を形成する印刷の工程を、開口部３周囲のレーベル部１を所定の色で印刷するとともにレーベル部１の外側から縁部へ向けて同心円状に多数の円からなる盛り上がり部４を印刷する第一の印刷工程と、レーベル部１の外側全面を黒色インク５で重ね印刷するとともに、上記レーベル部１には記録媒体Ａに記録されているデータに関連する視覚情報ａを同色で印刷する第二の印刷工程とで構成した。【選択図】図１
2005108333.tif 000002
【特許請求の範囲】
【請求項１】
円盤状の記録媒体の表面にアナログレコード盤のイメージを印刷する印刷方法であって、以下の要件を備えることを特徴とする記録媒体に対する印刷方法。
（イ）上記記録媒体の中央部は円形の開口部を有し、裏側面はデジタル情報記録面を構成していること
（ロ）上記記録媒体の表側面の上記開口部周囲にはレーベル部が、該レーベル部のさらに外側には全面に同心円状に広がるアナログレコード盤の針溝を模した凹凸部が印刷により形成されていること
（ハ）上記凹凸部を印刷する印刷工程は、開口部周囲のレーベル部を所定の色で印刷するとともにレーベル部の外側から縁部へ向けて同心円状に多数の円を盛り上がり印刷する第一の印刷工程と、レーベル部の外側全面を黒色で重ね印刷する第二の印刷工程とで構成したこと
【請求項２】
前記記録媒体に記録されているデータに関連する視覚情報を前記第二の印刷工程で前記レーベル部に印刷する、請求項１記載の記録媒体に対する印刷方法。
【発明の詳細な説明】
【技術分野】
【０００１】
本発明は、記録媒体に対する印刷方法、詳しくは円盤状の記録媒体の表側面にアナログレコード盤を模した模様を印刷する記録媒体に対する印刷方法に関するものである。
【背景技術】
【０００２】
以前、音楽データを記録した記録媒体としてはアナログレコード盤が実用されていたが、近年、コンパクトディスクなどのディスク型の記録媒体が主流になり、アナログレコード盤は姿を消してしまったが、懐かしのメロディーが心を癒すという観点から、音楽だけではなく視覚的にもアナログレコード盤が見直され、記録面の反対面にアナログレコードをイメージした印刷が施された記録媒体が提案されている（例えば、特許文献１）。
【特許文献１】実用新案登録第３０９４６５６号公報
【発明の開示】
【発明が解決しようとする課題】
【０００３】
本発明が解決しようとする問題点は、アナログレコード盤を模した模様が印刷された記録媒体は全面的に黒色インクを用いて印刷し、その後レーベル部分に赤などの印刷を施した後、アナログレコードの針溝部分に相当する凹凸パターンを形成するために螺旋又は同心円の模様を重ね印刷して凹凸面を形成する必要があり、印刷行程が三段階になる点であった。
【０００４】
本発明は、上記問題点を解決し、円盤状の記録媒体の表面にアナログレコード盤のイメージを印刷する印刷工程の簡素化を図り、生産効率の高い記録媒体に対する印刷方法を提供することを課題とする。
【課題を解決するための手段】
【０００５】
前記課題を解決するために本発明に係る記録媒体に対する印刷方法は、円盤状の記録媒体の表面にアナログレコード盤のイメージを印刷する印刷方法であって、以下の要件を備えることを特徴とする。
（イ）上記記録媒体の中央部は円形の開口部を有し、裏側面はデジタル情報記録面を構成していること
（ロ）上記記録媒体の表側面の上記開口部周囲にはレーベル部が、該レーベル部のさらに外側には全面に同心円状に広がるアナログレコード盤の針溝を模した凹凸部が印刷により形成されていること
（ハ）上記凹凸部を印刷する印刷工程は、開口部周囲のレーベル部を所定の色で印刷するとともにレーベル部の外側から縁部へ向けて同心円状に多数の円を盛り上がり印刷する第一の印刷工程と、レーベル部の外側全面を黒色で重ね印刷する第二の印刷工程とで構成したこと
【０００６】
なお、前記記録媒体に記録されているデータに関連する視覚情報を前記第二の印刷工程で前記レーベル部に印刷することが好ましい。
【発明の効果】
【０００７】
請求項１の発明によれば、記録媒体の表側面の印刷をする際に、第一の印刷工程でレーベル部の印刷と同時にレーベル部の外側の針溝に相当する部分に同心円状の盛り上がり部も同時に印刷することにより、第二の印刷工程で黒色印刷を施すだけでアナログレコード盤のイメージを形成する印刷を完結することができ、印刷工程の簡素化を図るとともに生産効率を高めることができる記録媒体に対する印刷方法を提供することができる。
【０００８】
請求項２の発明によれば、第二の印刷工程で記録媒体に記録されているデータに関連する視覚情報をレーベル部に印刷することにより、別途レーベル部への印刷を行なう必要がなく、２回の印刷工程で全ての印刷が完了し、効率のよい印刷を行なうことができる。
【発明を実施するための最良の形態】
【０００９】
円盤状記録媒体の中央部には円形の開口部を有し、裏側面はデジタル情報記録面を構成し、上記記録媒体の表側面の上記開口部周囲のレーベル部の外側全面に同心円状に広がるアナログレコード盤の針溝を模した凹凸パターンの印刷を施す印刷の工程は、開口部周囲のレーベル部を所定の色で印刷するとともにレーベル部の外側から縁部へ向けて同心円状に多数の円を盛り上がり印刷する第一の印刷工程と、レーベル部の外側全面を黒色で重ね印刷するとともに、上記レーベル部には記録媒体に記録されているデータに関連する視覚情報を同色で印刷する第二の印刷工程とで構成し、２回の印刷工程で、アナログレコード盤を模したイメージを記録媒体に形成することができるようにした。
【実施例１】
【００１０】
図１において符号Ａは、本発明に係る記録媒体に対する印刷方法を適用した記録媒体の表側面の平面図を示し、この記録媒体Ａは、デジタル情報記録媒体（例えば、コンパクトディスク等）で、裏側面がデジタル情報記録面を構成し、表側面に記録内容に関連する視覚情報ａを表示したレーベル部１とレーベル部１の外側にアナログレコード盤の針溝を模した凹凸面２を構成するようにしたもので、記録媒体の表側面（以下、レーベル面という）の形状からアナログレコード盤をイメージすることができるようにしたものである。
【００１１】
レーベル面に形成するアナログレコード盤イメージを印刷するための印刷行程は第一の印刷行程と、第二の印刷行程との２つの印刷行程から構成されている。
【００１２】
第一の印刷行程は、図２に示すように、アナログレコード盤のレーベル部１に相当する中央の開口部３の外側を所定の色（例えば、赤色）で印刷するとともに、レーベル部１の外側には同時に針溝を模して同心円状に多数の円からなる盛り上がり部４を印刷するものである（図３（ａ）参照）。
【００１３】
この盛り上がり部４を形成する印刷は、印刷されたインクの層を厚くすることができる印刷、例えば、シルクスクリーン印刷を用いればよい。
【００１４】
第一の印刷行程が終了した状態では、開口部３の周囲のレーベル部１が赤い色で塗りつぶされ、そのレーベル部１の外側は多数の赤い円からなる盛り上がり部４が同心円状に印刷された状態になる（図３（ａ）参照）。
【００１５】
第二の印刷行程は、レーベル部１に曲のタイトルや、歌手名その他記録媒体に関連するデータを視覚情報ａとして黒色インクで印刷するとともに、レーベル部１の外側全面を同じく黒色のインク５で上塗り印刷するものである。
【００１６】
上記第一の印刷工程に続いて第二の印刷工程を実施することにより、図１に示すように、レーベル部１には曲に関連する視覚情報ａが明記され、レーベル部１の外側は針溝を模した凹凸面２が黒色で形成されることになるので、第一の印刷行程と、第二の印刷行程との２つの行程により記録媒体の表側面にアナログレコード盤のイメージを作り上げることができる。
【００１７】
なお、第一の印刷行程で使用されるインクは、赤色に限定されるものではなくレーベル部１の色を何色にするかによって決定すればよく、第一の印刷行程の後から第二の印刷行程で黒色のインクで上塗りするので、様々なレーベルの色の記録媒体を作成することができる。
【００１８】
また、レーベル部１も盛り上がり部４と同じ第一の印刷工程で印刷されるので、盛り上がり印刷状態になっているので、恰も曲名や歌手名などを印刷した紙レーベルを貼り付けたような状況を作り出すことができ、よりリアル感のある記録媒体を実現することができる。
【図面の簡単な説明】
【００１９】
【図１】本発明に係る記録媒体に対する印刷方法を適用した記録媒体の表側面の平面図
【図２】第一の印刷工程が完了した状態を示す記録媒体の表側面の平面図
【図３】（ａ）（ｂ）は第一の印刷工程と、第二の印刷工程の印刷結果を示す記録媒体の縦断面図
【符号の説明】
【００２０】
１    レーベル部
２    凹凸面
３    開口部
４    盛り上がり部
Ａ    記録媒体
ａ    視覚情報
【図１】
2005108333.tif 000003
【図２】
2005108333.tif 000004
【図３】
2005108333.tif 000005